【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
(a)式（１）：
【化１】
2006528256.tif 000001
｛式中、MはCuまたはNiであり；
Pcは、式：
【化２】
2006528256.tif 000002
のフタロシアニン核を表し、
R1及びR2は独立してHまたはメチルであり；
R3はHまたは場合により置換されたヒドロカルビルであり；及び
R4は場合により置換されたヒドロカルビルであるか；または
R3とR4はこれらが結合している窒素原子と一緒になって場合により置換された脂肪族または芳香族環系を表し；
ｘは0.1〜3.8であり；
ｙは0.1〜3.8であり；
ｚは0.1〜3.8であり；
（ｘ＋ｙ＋ｚ）の合計は４であり、ｘ、ｙ及びｚにより表された置換基は、フタロシアニン環のβ-位置にのみ結合する｝のフタロシアニン染料とその塩との混合物である主な染料成分と、
(b)水と、有機溶媒または水を含まない有機溶媒とを含む液体媒体とを含む組成物。
【請求項２】
請求項１に記載の組成物であって、
(a)式（１）：
【化３】
2006528256.tif 000003
｛式中、MはCuまたはNiであり；
Pcは、式：
【化４】
2006528256.tif 000004
のフタロシアニン核を表し、
R1及びR2は独立してHまたはメチルであり；
R3はHまたは場合により置換されたヒドロカルビルであり；及び
R4は場合により置換されたヒドロカルビルであるか；または
R3とR4はこれらが結合している窒素原子と一緒になって場合により置換された脂肪族または芳香族環系を表し；
ｘは0.1〜3.8であり；
ｙは0.1〜3.8であり；
ｚは0.1〜3.8であり；
（ｘ＋ｙ＋ｚ）の合計は４であり、ｘ、ｙ及びｚにより表された置換基は、フタロシアニン環のβ-位置にのみ結合する｝のフタロシアニン染料とその塩との混合物である主な染料成分、ここで、式（１）のフタロシアニン染料の前記混合物は、好適な窒素供給源（必要な場合）、銅またはニッケル塩、及び塩基の存在下、好適なβ-スルホ置換フタル酸、フタロニトリル、イミノイソインドリン、無水フタル酸、フタルイミドまたはフタルアミドの環化、続く塩素化次いでアミノ化/アミド化を含むプロセスによって得られる、及び
(b)水と、有機溶媒または水を含まない有機溶媒とを含む液体媒体とを含む組成物。
【請求項３】
請求項１又は２に記載の組成物であって、
(a)式（１）：
【化５】
2006528256.tif 000005
｛式中、MはCuまたはNiであり；
Pcは、式：
【化６】
2006528256.tif 000006
のフタロシアニン核を表し、
R1及びR2は独立してHまたはメチルであり；
R3はHまたは場合により置換されたヒドロカルビルであり；及び
R4は場合により置換されたヒドロカルビルであるか；または
R3とR4はこれらが結合している窒素原子と一緒になって場合により置換された脂肪族または芳香族環系を表し；
ｘは0.1〜3.8であり；
ｙは0.1〜3.8であり；
ｚは0.1〜3.8であり；
（ｘ＋ｙ＋ｚ）の合計は４であり、ｘ、ｙ及びｚにより表された置換基は、フタロシアニン環のβ-位置にのみ結合する｝のフタロシアニン染料とその塩との混合物である主な染料成分、ここで、式（１）のフタロシアニン染料の前記混合物は、窒素供給源、銅またはニッケル塩、及び塩基の存在下における4-スルホ-フタル酸の環化によってフタロシアニンβ-テトラスルホン酸を与え、次いでこのフタロシアニンβ-テトラスルホン酸を塩素化し、形成した塩化スルホニル基を式：HNR1R2及びHNR3R4{式中、R1、R2、R3及びR4は上記定義の通りである}の化合物と反応させることによって得られる、及び
(b)水と、有機溶媒または水を含まない有機溶媒とを含む液体媒体とを含む組成物。
【請求項４】
請求項１に記載の組成物であって、
(a)式（１）：
【化７】
2006528256.tif 000007
｛式中、MはCuまたはNiであり；
Pcは、フタロシアニン核を表し、
R1及びR2は独立してHまたはメチルであり；
R3はHまたはメチルであり；及び
R4は場合により置換されたヒドロカルビルであるか；または
R3とR4はこれらが結合している窒素原子と一緒になって場合により置換された脂肪族または芳香族環系を表し；
ｘは0.1〜3.8であり；
ｙは0.1〜3.8であり；
ｚは0.1〜3.8であり；
（ｘ＋ｙ＋ｚ）の合計は４であり、ｘ、ｙ及びｚにより表された置換基は、フタロシアニン環のβ-位置にのみ結合する｝のフタロシアニン染料とその塩との混合物である主な染料成分、ここで、式（１）のフタロシアニン染料の前記混合物は、好適な窒素供給源（必要な場合）、銅またはニッケル塩、及び塩基の存在下、好適なβ-スルホ置換フタル酸、フタロニトリル、イミノイソインドリン、無水フタル酸、フタルイミドまたはフタルアミドの環化、続く塩素化次いでアミノ化/アミド化を含むプロセスによって得られる、及び
(b)水と、有機溶媒または水を含まない有機溶媒とを含む液体媒体とを含む組成物。
【請求項５】
MがCuである、請求項１〜４のいずれか一つに記載の組成物。
【請求項６】
式中、ｘが0.5〜3.5の値であり、ｙが0.5〜3.5の値であり、及びｚが0.5〜3.5の値である、請求項１〜５のいずれか一つに記載の組成物。
【請求項７】
R1、R2及びR3が独立してHまたはメチルであり、及びR4が場合により置換されたアリールである、請求項１〜６のいずれか一つに記載の組成物。
【請求項８】
R4が、少なくとも一つのスルホ、カルボキシまたはホスファト置換基を保持し、さらに場合によって採用されてもよい置換基をもつフェニルである、請求項１〜７のいずれか一つに記載の組成物。
【請求項９】
R4が一つのスルホ置換基を保持するフェニルである、請求項１〜８のいずれか一つに記載の組成物。
【請求項１０】
R1及びR2が独立してHまたはメチルであり、R3及びR4はこれらが結合している窒素と一緒になって、場合により置換された３〜８員の脂肪族または芳香族環を表す、１〜６のいずれか一つに記載の組成物。
【請求項１１】
R1及びR2が独立してHまたはメチルであり、R3がHまたは場合により置換されたC1-8アルキルであり、R4が場合により置換されたC1-8アルキルである、請求項１〜６のいずれか一つに記載の組成物。
【請求項１２】
R1及びR2がHであり、R3がHまたは-SO3H、-COOH若しくは-PO3H2からなる群から選択される少なくとも一つの酸置換基を保持するC1-4アルキルであり、及びR4が-SO3H、-COOHまたは-PO3H2からなる群から選択される少なくとも一つの酸置換基を保持するC1-4アルキルである、請求項１１に記載の組成物。
【請求項１３】
R1及びR2がHである、請求項１〜１１のいずれか一つに記載の組成物。
【請求項１４】
R1、R2及びR3がHであり、R4が-CH2CH2SO3Hである、請求項１１又は１２に記載の組成物。
【請求項１５】
R1がHであり、R2がCH3であり、R3がHであり、R4が-CH2CH2SO3Hである、請求項１１に記載の組成物。
【請求項１６】
R1及びR2がCH3であり、R3がHであり、R4が-CH2CH2SO3Hである、請求項１１に記載の組成物。
【請求項１７】
フタロシアニン染料の総重量の少なくとも70重量%が式（１）のものである、請求項１〜１６のいずれか一つに記載の組成物。
【請求項１８】
フタロシアニン染料の総重量の少なくとも90重量%が式（１）のものである、請求項１７に記載の組成物。
【請求項１９】
式（１）の染料が繊維反応性基を含まない、請求項１〜１８のいずれか一つに記載の組成物。
【請求項２０】
（ａ）０．１〜２０部の式（１）の化合物；及び
（ｂ）８０〜９９．９部の液体媒体
を含む請求項１〜１９のいずれか一つに記載の組成物であって、全ての部は重量基準であり、（ａ）と（ｂ）との部数の合計は１００である、組成物。
【請求項２１】
（ａ）０．５〜１５部の式（１）の化合物；及び
（ｂ）８５〜９９．５部の液体媒体
を含む請求項２０に記載の組成物であって、全ての部は重量基準であり、（ａ）と（ｂ）との部数の合計は１００である、組成物。
【請求項２２】
（ａ）１〜５部の式（１）の化合物；及び
（ｂ）９５〜９９部の液体媒体
を含む請求項２０に記載の組成物であって、全ての部は重量基準であり、（ａ）と（ｂ）との部数の合計は１００である、組成物。
【請求項２３】
液体媒体がインクジェット印刷用インクで慣習的に使用される追加の成分を含むことができる、請求項１〜２２のいずれか一つに記載の組成物。
【請求項２４】
インクジェットプリンタで使用するのに好適なインクである、請求項１〜２３のいずれか一つに記載の組成物。
【請求項２５】
式（４）：
【化８】
2006528256.tif 000008
｛式中、MはCuまたはNiであり；
Pcは、式：
【化９】
2006528256.tif 000009
のフタロシアニン核を表し、
R1及びR2は独立してHまたはメチルであり；
R3はHまたは場合により置換されたC1-8アルキルであり；及び
R4は少なくとも一つのスルホ、カルボキシ若しくはホスファト置換基を保持し、さらにアミノや置換アミノ以外の場合によって採用されてもよい置換基を有する場合により置換されたC1-8アルキルまたはフェニルであるか；または
R3とR4はこれらが結合している窒素原子と一緒になって場合により置換された5-または6-員の脂肪族または芳香族環系を表し；
ｘは0.1〜3.8であり；
ｙは0.1〜3.8であり；
ｚは0.1〜3.8であり；
(ｘ＋ｙ＋ｚ)の合計は４であり、ｘ、ｙ及びｚにより表された置換基は、フタロシアニン環のβ-位置にのみ結合する｝の染料とその塩との混合物であって、繊維反応性基を含まない染料の前記混合物。
【請求項２６】
式（４）：
【化１０】
2006528256.tif 000010
｛式中、MはCuまたはNiであり；
Pcは、式：
【化１１】
2006528256.tif 000011
のフタロシアニン核を表し、
R1及びR2は独立してHまたはメチルであり；
R3はHまたは場合により置換されたC1-8アルキルであり；及び
R4は少なくとも一つのスルホ、カルボキシ若しくはホスファト置換基を保持し、さらにアミノや置換アミノ以外の場合によって採用されてもよい置換基を有する場合により置換されたC1-8アルキルまたはフェニルであるか；または
R3とR4はこれらが結合している窒素原子と一緒になって場合により置換された5-または6-員の脂肪族または芳香族環を表し；
ｘは0.1〜3.8であり；
ｙは0.1〜3.8であり；
ｚは0.1〜3.8であり；
(ｘ＋ｙ＋ｚ)の合計は４であり、ｘ、ｙ及びｚにより表された置換基は、フタロシアニン環のβ-位置にのみ結合する｝の染料とその塩との請求項２５に記載の混合物であって、好適な窒素供給源（必要な場合）、銅またはニッケル塩、及び塩基の存在下、好適なβ-スルホ置換フタル酸、フタロニトリル、イミノイソインドリン、無水フタル酸、フタルイミドまたはフタルアミドの環化、続く塩素化次いでアミノ化/アミド化を含むプロセスによって調製され、繊維反応性基を含まない、式（１）のフタロシアニン染料の前記混合物。
【請求項２７】
式（２）：
【化１２】
2006528256.tif 000012
｛式中、MはCuであり；
Pcは、式：
【化１３】
2006528256.tif 000013
のフタロシアニン核を表し、
R1、R2及びR3は独立してHまたはメチルであり；
R4は少なくとも一つのスルホ、カルボキシ若しくはホスファト置換基を保持し、さらにアミノや置換アミノ以外の場合によって採用されてもよい置換基を保持するフェニルであり；
ｘは0.5〜3.5であり；
ｙは0.5〜3.5であり；
ｚは0.5〜3.5であり；
（ｘ＋ｙ＋ｚ）の合計は４であり、ｘ、ｙ及びｚにより表された置換基は、フタロシアニン環のβ-位置にのみ結合する｝の請求項２５又は２６に記載の染料とその塩との混合物であって、好適な窒素供給源（必要な場合）、銅またはニッケル塩、及び塩基の存在下、好適なβ-スルホ置換フタル酸、フタロニトリル、イミノイソインドリン、無水フタル酸、フタルイミドまたはフタルアミドの環化、続く塩素化次いでアミノ化/アミド化を含むプロセスによって調製され、繊維反応性基を含まない、式（１）のフタロシアニン染料の前記混合物。
【請求項２８】
式（３）：
【化１４】
2006528256.tif 000014
｛式中、MはCuであり；
Pcは、式：
【化１５】
2006528256.tif 000015
のフタロシアニン核を表し、
R1及びR2は独立してHまたはメチルであり；
R3及びR4は独立して-SO3H、-COOHまたは-PO3H2からなる群から選択される少なくとも一つの酸置換基を保持するC1-4アルキルであり；
ｘは0.5〜3.5であり；
ｙは0.5〜3.5であり；
ｚは0.5〜3.5であり；
（ｘ＋ｙ＋ｚ）の合計は４であり、ｘ、ｙ及びｚにより表された置換基は、フタロシアニン環のβ-位置にのみ結合する｝の染料とその塩との混合物であって、好適な窒素供給源（必要な場合）、銅またはニッケル塩、及び塩基の存在下、好適なβ-スルホ置換フタル酸、フタロニトリル、イミノイソインドリン、無水フタル酸、フタルイミドまたはフタルアミドの環化、続く塩素化次いでアミノ化/アミド化を含むプロセスによって調製される式（１）のフタロシアニン染料の前記混合物。
【請求項２９】
R1及びR2がHである、請求項２５〜２８のいずれか一つに記載の染料の混合物。
【請求項３０】
R1、R2及びR3がHであり、R4が-CH2CH2SO3Hである、請求項２５、２６、２８又は２９に記載の染料の混合物。
【請求項３１】
R1がHであり、R2がCH3であり、R3がHであり、R4が-CH2CH2SO3Hである、請求項２５，２６又は２８に記載の染料の組成物。
【請求項３２】
R1及びR2がCH3であり、R3がHであり、R4が-CH2CH2SO3Hである、請求項２５、２６又は２８に記載の染料の混合物。
【請求項３３】
R1及びR2は独立してHまたはメチルであり、R3及びR4はこれらが結合している窒素と一緒になって、場合により置換された５又は６員の脂肪族または芳香族環を表す、請求項２５又は２６に記載の染料の混合物。
【請求項３４】
請求項２５〜３３のいずれか一つに定義された式（４）のフタロシアニン染料と水との混合物である主な染料成分を含む組成物。
【請求項３５】
インクジェットプリンタで使用するのに好適なインクである、請求項３４に記載の組成物。
【請求項３６】
インクジェットプリンタによって支持体上に請求項２４又は３５に記載の組成物を適用することを含む、支持体上に画像を形成するプロセス。
【請求項３７】
請求項１〜２４、３４及び３５のいずれか一つに記載の組成物または請求項２５〜３４のいずれか一つに記載の染料で、又は請求項３６に記載のプロセスによって印刷した物質。
【請求項３８】
請求項３６に記載のプロセスを使用して印刷した写真である、請求項３７に記載の物質。
【請求項３９】
チャンバとインクとを含むインクジェットプリンタ・カートリッジであって、前記インクがチャンバ内にあり、前記インクは請求項２４又は３５に記載のものである、インクジェットプリンタ・カートリッジ。
【手続補正２】
【補正対象書類名】明細書
【補正対象項目名】００１１
【補正方法】変更
【補正の内容】
【００１１】
式（１）のフタロシアニン染料｛式中、スルホ及びスルホンアミド置換基は、フタロシアニン環のβ位置に結合している｝は、当業界で公知の任意の方法により、特に（必要により）好適な窒素供給源、銅またはニッケル塩、たとえばCuCl2及び、1,8-ジアザビシクロ[5.4.0]ウンデク-7-エン(DBU)などの塩基の存在下、好適なβ-スルホ置換フタル酸、フタロニトリル、イミノイソインドリン、無水フタル酸、フタルイミドまたはフタルアミドの環化、続く塩素化次いでアミノ化/アミド化により製造することができる。